(57)【要約】 【課題】本発明は、トイレットペーパーホルダー１からトイレットペーパー１４を片手１５で滑らかに引き出し、トイレットペーパー１４の残部の先端部を略三角形状１４ｃに容易に切り取ることができ、ロール状トイレットペーパー１３を簡易に交換することができるトイレットペーパーホルダー１を提供することを目的とするものである。【解決手段】本発明は、ロール状トイレットペーパー１３の回転を促す湾曲した底面板７を有する収納部２と、収納部２の正面板３の上部にあるトイレットペーパー１４の引き出しを促す湾曲したガイド部材８と、トイレットペーパー１４を片手１５で掴み易くするため切断刃１１を収納部２の正面板３から一定の距離に設置し、前記切断刃１１の両端にトイレットペーパー１４が切断刃１１の左右傾斜刃１１ｂ、１１ｈから逃げないように左右突起１１ｄ、１１ｆを設けたトイレットペーパーホルダー１の構成とした。【選択図】  図１
2006314764.tif 000002
【特許請求の範囲】
【請求項１】
ロール状トイレットペーパーの回転を促す湾曲した底面板と前記底面板より起立した正面板と壁などに設置するとき接する背面板と前記正面板と背面板に側面で接続した上部に残量を確認する左右凹部を有する左右側板からなるロール状トイレットペーパーを収納し、前記背面板の上部に留具によって回動するように接続された蓋を取り付け、前記正面板の上部にあるトイレットペーパーの引き出しを促す湾曲したガイド部材を設けた収納部と、
前記収納部の正面板の底部から引き出し方向に張り出された張出部と張出部の先端に上方に向けられ設置されたトイレットペーパーの残部を略三角形状に切り取り、刃の左右Ｖ字形溝にトイレットペーパーが脱落しないように上方に突出した左右突起を設けた切断刃を有する切断部からなり、前記切断刃と収納部の正面板にトイレットペーパーを手で掴むために一定の距離があるように前記切断刃を設置し、片手でトイレットペーパーを切り取とることができることを特徴とするトイレットペーパーホルダー。
【請求項２】
前記張出部が、湾曲形状の張出板と、切断刃１１を張出部に固定するための固定部とからなることを特徴とする請求項１に記載のトイレットペーパーホルダー。
【発明の詳細な説明】
【技術分野】
【０００１】
本発明は、トイレットペーパーホルダーからトイレットペーパーを片手で滑らかに引き出し、トイレットペーパーの残部を略三角形状に容易に切り取ることができ、ロール形状のトイレットペーパーを簡易に交換することができるトイレットペーパーホルダーに関する発明である。
【背景技術】
【０００２】
現在一般に使用されているトイレットペーパーホルダーは、ペーパーロールを覆うように設けられた蓋によって、或いは蓋の先端に刃が取り付けられている構造となっている。      
【０００３】
トイレットペーパーを切り取る際は、ペーパーロールの先端部を手で掴んで適度な長さのペーパーを引き出し、一方の手で蓋を抑え、他方の手でペーパーを上方に引き上げ蓋の先端を切断刃にして使用していた。さらに、トイレットペーパーの使用後に、次の使用者が気持ち良く使用できるようにトイレットペーパーの先端部を三角形状などにおって体裁を整えることが行われている。その切断操作、及び使用後のペーパーの折りたたみ作業は煩雑なものであった。
【０００４】
また、特許文献１に記載の発明のように、先端部を略三角形状に切断する蓋構造をしたトイレットペーパーホルダーも公開されている。しかし、従来同様ペーパーの切断には、一方の手で蓋を押さえ、他方の手でペーパーを上方に引き上げる操作を必要であった。
【特許文献１】特開平０７−２９９０１３号公報
【０００５】
そこで、特許文献２に記載の発明のように、トイレットペーパーを片手で容易に切り取れるようにするとともに、トイレットペーパーの装填作業を容易なものとするトイレットペーパーホルダーの発明も公開されている。
【０００６】
しかし、トイレットペーパーを単に蓋体によって押さえるだけの構造であるから、トイレットペーパーの引き出し時にトイレットペーパーを切断刃部に対して垂直、水平方向に引き出さないと、切断残部は斜めに切断され、或いはちぎれるなど意図した形状に体裁よく切断できないこととなる欠点がある。
【特許文献２】特開２００４−２７５５３９号報
【０００７】
特許文献３には、従来のトイレットペーパーホルダーに接続し、トイレットペーパーホルダーからトイレットペーパーを片手だけで引き出して、簡単に体裁のよい形状にカットすることができるペーパー切口成形切断刃の考案が公開されている。
【特許文献３】実用新案登録第３１０４３０５号
【発明の開示】
【発明が解決しようとする課題】
【０００８】
しかしながら、カット板と折返し部の細い隙間にトイレットペーパーを通すことが必要であり、その操作は片手で行うことは到底困難な上、折返し部に通す作業の途中でトイレットペーパーが本来意図しない部位、形状に切断さることがある。
【０００９】
また、従来のトイレットペーパーホルダーに取り付けるため、トイレットペーパーの交換作業は従来と同様にトイレットペーパーホルダーから使用済みの芯を外して、新しいトイレットペーパーを芯棒に通し直す必要がある。
【００１０】
そこで、本発明は、トイレットペーパーホルダーからトイレットペーパーを片手で滑らかに引き出し、トイレットペーパーの残部を略三角形状に容易に体裁よく切断することができ、ロール状トイレットペーパーを簡易に交換することができるトイレットペーパーホルダーを提供することを目的とするものである。
【課題を解決するための手段】
【００１１】
本発明は、上記の課題を解決するために、ロール状トイレットペーパー１３の回転を促す湾曲した底面板７と前記底面板７より起立した正面板３と壁などに設置するとき接する背面板６と前記正面板３と背面板６に側面で接続した上部に残量を確認する左右凹部４ａ、５ａ有する左右側板４、５からなるロール状トイレットペーパー１３を収納する収納部２、及び前記背面板６の上部に留具９ｂによって、回動するように接続された蓋９、及び前記正面板３の上部にあるトイレットペーパー１４の引き出しを促す湾曲したガイド部材８、及び前記正面板３の底部から引き出し方向に張り出された張出部１２と張出部１２の先端に上方に向けられ設置されたトイレットペーパー１４の残部を略三角形状１４ｃに切り取り、刃の左右Ｖ字形溝、１１ｃ、１１ｇにトイレットペーパー１４が脱落しないように上方に突出した左右突起１１ｄ、１１ｆを配した切断刃１１を有する切断部１０からなることを特徴とするトイレットペーパーホルダー１であって、前記切断刃１１と収納部２の正面板３にトイレットペーパー１４を手１５で掴むために一定の距離があるように切断刃１１が設定され、片手１５でトイレットペーパー１４を切り取ることができることを特徴とするトイレットペーパーホルダー１の構成とした。
【００１２】
さらに、前記張出部１２を、湾曲形状の張出板１８ａと、切断刃１１を固定するための固定部１２とからなる張出部１８としたことを特徴とするトイレットペーパーホルダー１ａの構成とした。
【発明の効果】
【００１３】
本発明は、以上の構成であるから以下の効果が得られる。第１に、ロール状トイレットペーパー１３の収納部２の底面板７が湾曲していることから、また、正面板３の上部にガイド部材８が取り付けられていることからロール状トイレットペーパー１３が滑らかに引き出すことができる。
【００１４】
第２に、収納部２の正面板３から切断刃１１との間は張出部１２によって一定の距離が確保されているため、片方の手１５でトイレットペーパー１４の先端部１４ａを掴みやすくなっており使用者は容易にトイレットペーパー１４を引き出すことができる。
【００１５】
第３に、切断刃１１の両端にトイレットペーパー１４が左右傾斜刃１１ｂ、１１ｈから逃げてしまわないように左右突起１１ｄ、１１ｆを備えていることから、トイレットペーパー１４を意図した位置で略三角形状１４ｃに片手１５で容易に切断することができることとなった。
【発明を実施するための最良の形態】
【００１６】
ロール状トイレットペーパー１３の回転を促す湾曲した底面板７と前記底面板７より起立した正面板３と壁などに設置するとき接する背面板６と前記正面板３と背面板６に側面で接続した上部に残量を確認する左右凹部４ａ、５ａ有する左右側板４、５からなるロール状トイレットペーパー１３を収納する収納部２、及び前記背面板６の上部に留具９ｂによって、回動するように接続された蓋９、及び前記正面板３の上部にあるトイレットペーパー１４の引き出しを促す湾曲したガイド部材８、及び前記正面板３の底部から引き出し方向に張り出された張出部１２と張出部１２の先端に上方に向けられ設置されたトイレットペーパー１４の残部を略三角形状１４ｃに切り取り、刃の左右Ｖ字形溝１１ｃ、１１ｇにトイレットペーパー１４が脱落しないように上方に突出した左右突起１１ｄ、１１ｆを配した切断刃１１を有する切断部１０からなることを特徴とするトイレットペーパーホルダー１であって、前記切断刃１１と収納部２の正面板３にトイレットペーパー１４を手１５で掴むために一定の距離があるように切断刃１１が設定され、片手１５でトイレットペーパー１４を切り取ることができることを特徴とするトイレットペーパーホルダー１の構成とすることで実現した。
【実施例１】
【００１７】
以下に、添付図面に基づいて、本発明であるトイレットペーパーホルダー１について詳細に説明する。
【００１８】
図１は本発明であるトイレットペーパーホルダーの斜視図、図２は本発明であるトイレットペーパーホルダーの蓋を開けた時の斜視図、図３本発明であるトイレットペーパーホルダーの正面図、図４は本発明であるトイレットペーパーホルダーの平面図、図５は本発明であるトイレットペーパーホルダーの右側面図である。
【００１９】
トイレットペーパーホルダー１は、大きくロール状トイレットペーパー１３の収納部２とトイレットペーパー１４を意図した長さに切断する切断部１０よりなる。収納部２は、ロール状トイレットペーパー１３を囲むように正面板３、左右側板４、５、背面板６と、ロール状トイレットペーパー１３を支える底面板７からなる。これにより、内部にロール状トイレットペーパー１３を収納する中空スペースができる。
【００２０】
左右側板４、５には、上部から下方に向かって切り込まれた左右凹部４ａ、５ａが設けられている。これにより収納部２に入れられたロール状トイレットペーパー１３の残量が蓋９を開けることなく容易に確認することができる。従って、ロール状トイレットペーパー１３が無くなる前に新しいロール状トイレットペーパー１３を補充することかできるため便利である。
【００２１】
背面板６には、本発明であるトイレットペーパーホルダー１をトイレの壁面など所定の位置に設置するためネジ留め用の穴６ａを予め設けて置く。なお、壁面への取り付けに関しては、ネジ留めに限定されることなく、背面板６に接着材を塗布し壁と接着させること、両面テープにより接着させることなど既存の取り付け方法を採用することができるのは勿論である。
【００２２】
底面板７は、ロール状トイレットペーパー１３が置かれる部分であり、ロール状トイレットペーパー１３が収納部２の中心位置にあるようにするため下に凸な湾曲としてある。仮に底面板７を下に凸に湾曲させない水平の底面板である場合、トイレットペーパー１４の使用が進むにつれて、ロール状トイレットペーパー１３の直径が小さくなり、トイレットペーパー１４を引き出し、切断する力により収納部２の中心位置からずれることとなる。収納部２の中心位置からずれることにより、次回の使用に際して、引き出されるロール状トイレットペーパー１３がスムーズに引き出すことができなくなる。
【００２３】
また、底面板７と左右側板４、５は密封しない。このように開放されていることで、紙くず、埃などのゴミが溜まらず掃除がし易いこととなる。また、ロール状トイレットペーパー１３の残量も確認できることとなる。
【００２４】
上述のようにしてなる収納部２は中空の容器となり、その内部にロール状トイレットペーパー１３を収納することができる。収納部２の大きさは、収納部２の内部に入れられるロール状トイレットペーパー１３の大きさにより適宜変更できる。
【００２５】
ここで、左右側板４、５の距離は、ロール状トイレットペーパー１３の左右側面板４、５の間の長さよりやや長い程度が望ましい。あまり長すぎると収納部２の内部でロール状トイレットペーパー１３が左右に移動し、切断する切断刃１１の適当な位置に引き出すこと難しく、トイレットペーパー１４を目的の位置で体裁よく切断することができなくなる。
【００２６】
また、正面板３と背面板６の距離も収納部２の内部に入れられるロール状トイレットペーパー１３の巻き量により適宜変更する。使用前のロール状トイレットペーパー１３の直径よりやや長い程度が望ましい。その距離が長すぎると無意味にトイレットペーパーホルダー１の設置スペースが必要となる。通常、トイレスペースは狭いことからできるだけトイレスペースを圧迫しないよう収納部２の正面板３と背面板６距離はなるべく狭くすることが望ましい。
【００２７】
正面板３の上部には、正面板３の上部と同一長である筒を半分に割ったような形状のガイド部材８を設置する。このガイド部材８の湾曲形状によりトイレットペーパー１４を滑らかに引き出すことが可能となる。また、正面板３の最上部は、蓋９と接しないよう左右側板４、５の上部から２−３ｍｍ凹ませる。これにより、蓋９を閉めた状態で、蓋９の上面が水平となる。この蓋９の上面に小物を置くことも可能である。蓋９の上面に小物を置いた場合でも、正面板３の上部が凹んでいることから、トイレットペーパー１４を蓋９と正面板３上部とで挟み込むことがないことから、トイレットペーパー１４の引き出しに支障をきたすことがない。
【００２８】
また、ガイド部材８が収納部２より離れた位置まで張り出していることから、トイレットペーパー１４を切断した後、垂れ下がったトイレットペーパー１４を収納部２の正面板３と密着しないようにすることができる。これにより、新たにトイレットペーパー１４を引き出すとき、トイレットペーパー１４はガイド部材８より垂れ下がっていることから、引き出し垂れ下がったトイレットペーパー１４と収納部２の正面板３との間に指を入れることにより容易にトイレットペーパー１４を掴むことができることとなる。
【００２９】
蓋９は、正面板３から回動させて開くことにより、新しいロール状トイレットペーパー１３を収納したり、使用済みの芯１３ａを取り除いたりする回動可能な部材である。使用中は、収納部２の内部を覆いゴミなどが内部に入り込まないように閉じておく。
【００３０】
蓋９の先端部９ａは上方に反らしておくことが望ましい。蓋９を開くとき先端９が反っていると蓋９を持ちやすい。また、トイレットペーパー１４を引き出すとき、蓋９の先端９ａに上向きの力が掛からずトイレットペーパー１４を滑らかに引き出すことができる。従って、蓋９の先端９ａが上方に反っていると、仮に蓋９の水平面に小物などを置いたとしても、トイレットペーパー１４を引き出すとき、蓋９が開かず小物が落ちることがない。
【００３１】
蓋９は背面板６上部で回動する留具９ｂで連結する。連結方法は、蓋９が上下に回動することができれば、特に限定しない。蓋９の形状についても、収納部２の上面を覆おう機能を有すれば特にその形状は限定しない。普段の使用中は閉じておき、蓋９の上面を小物置としても使用することができる。ロール状トイレットペーパー１３の充填・補充時に上に開く。
【００３２】
ロール状トイレットペーパー１３を交換する際は、蓋９を持ち上げて、回動させて開き、空になった芯１３ａをと取り出し、又は芯１３ａなしロール状トイレットペーパー１３であれば、収納部２の底面板７に何の操作もなく置くだけでよいので、従来のように芯棒を通し直してトイレットペーパーホルダーに嵌め込むなどの面倒な手間は掛からないで済む。
【００３３】
これら収納部２の素材は、特に限定することなく、通常使用されているプラスチック、ステンレスなどの素材が使用できる。
【００３４】
切断部１０は、トイレットペーパー１４を切断する切断刃１１と、前記切断刃１１を収納部２から一定の距離に固定するための張出部１２からなる。切断刃１１は、張出部１２の固定部１２ｂと挟み板１２ｅとの間に挟み込み、ビス、ネジ１２ｃなどの固定具で固定する。
【００３５】
図６は本発明であるトイレットペーパーホルダーの切断部の分解斜視図である。切断刃１１は、上部中心の刃先１１ａから左右の突起１１ｄ、１１ｆの付け根まで、トイレットペーパー１４を切断するための左右切断刃１１ｂ、１１ｈとなっている。切断刃１１は、刃先１１ａを中心に上に尖った三角形状部分を有することから、切断されたトイレットペーパー１４の先端部は略三角形状１４ｃに体裁よく切断される。
【００３６】
右傾斜刃１１ｂの左Ｖ字形溝１１ｃは、少なくとも前記収納部２の左右側板４、５までの長さを必要とする。これにより、トイレットペーパー１４の中心に切断刃１１の刃先１１ａが刺さるとトイレットペーパー１４の端まで刃１１ｂによって綺麗に切断することができることとなる。
【００３７】
左右突起１１ｄ、１１ｆは、前記左右傾斜刃１１ｈ、１１ｂの左右Ｖ字形溝１１ｃ、１１ｇから左右上方に突出した形状で左右に設置する。この左右突起１１ｄ、１１ｆによりトイレットペーパー１４が左右傾斜刃１１ｂ、１１ｈから滑り落ちることが無くなる。左右突起１１ｄ、１１ｆは、角度を６０度角に設けることが望ましい。
【００３８】
また、左右突起１１ｄ、１１ｆの突出の程度は、通所の大きさのロール状トイレットペーパー１３を使用するのであれば、１センチ程度あれば充分である。
【００３９】
切断刃１１は、全体に収納部２と反対方向に緩やかな湾曲形状とする。これにより、トイレットペーパー１４を下方に引き下げる動作だけで、容易にトイレットペーパー１４を略三角形状１４ｃに体裁良く切断することができる。また、緩やかな湾曲形状とすることで、切断刃１１に強度をもたせることができる。
【００４０】
刃１１ｂは、トイレットペーパー１４を切断するためのものであるが、切断刃１１の先端に鋭利な刃を立てる必要はない。ある程度切断刃１１の厚さが薄ければ、切断刃１１の先端が平らであっても充分切断機能を発揮する。
【００４１】
張出部１２は、切断刃１１を収納部２の正面板３から一定の距離に位置させるための張出板１２ａと切断刃１１を張出部１２に固定するための固定部１２ｂからなる。張出板１２ａは、収納部２の正面板３の底部に接続される。或いは、収納部２を構成する底面板７と一体となしてもよい。
【００４２】
張出板１２ａの長さは、およそ５〜１０センチメートル程度が望ましい。この程度の長さであれば、収納部２の正面板３と切断刃１１の間に垂れ下がったトイレットペーパー１４を手１５で掴むために、無理なく手１５を入れることができる。１０センチメートル以上あっても問題ないが、上述したのようにトイレスペースを圧迫してしまうこととなるので望ましくない。
【００４３】
なお、張出板１２ａは、トイレットペーパー１４を切断するために上から下にトイレットペーパー１４が引き下げられることから、一定の力が掛かる。そこで、張出板１２ａには一定の強度が必要になるが、張出板１２ａの厚みを増すこと、及び収納部２の正面板３の下部に接続する部分に接続強度を持たせることで解決できる。
【００４４】
固定部１２ｂは、切断刃１１を張出板１２ａに固定する部分である。この固定部１２ｂは、水平面に対して張出板１２ａから９０度の角度になるように設置することが望ましい。これにより、トイレットペーパー１４を下方に引き下げる動作から生まれる力が、効率よくトイレットペーパー１４を切断する力に変換され、スムーズにトイレットペーパー１４を切断することができる。従って、トイレットペーパー１４の切断には、トイレットペーパー１４を下方に引き下げる以外の動作を要しないこととなる。
【００４５】
張出部１２は、切断刃１１を収納部２の正面板３から一定の距離に固定することができれば、実施例に限定されることがないのは勿論である。
【００４６】
上記切断刃１１と張出部１２との固定は、張出板１２ａから起立した固定部１２ｂに穴１２ｄを設け、切断刃１１にも前記穴１２ｄに一致する位置に穴１１ｅを設け、ビス、ネジ１２ｃ・ナット１２ｇなどの固定具で、固定部１２ｂ及び切断刃１１の穴１２ｄ、１１ｅに対応する穴１２ｆを有する挟み板１２ｅなどを利用して固定する。なお、接着材などによっても当然固定することができる。また、前記切断刃１１、張出板１２ａ及び挟み板１２ｅは別々の部品とすることなく一体となすことも何ら問題ない。しかし、切断刃１１の交換を考慮すると固定部１２ｂ及び挟み板１２ｅのような２枚の板に挟み込み、ネジ１２ｃ・ナット１２ｇなどにより固定することが望ましい。
【００４７】
上記切断刃１１及び張出部１２からなる切断部１０の素材は、収納部２と同様に特に限定することなく、通常使用されているプラスチックなどの素材が使用できる。
【００４８】
以下、本発明であるトイレットペーパーホルダー１の使用方法について説明する。図２で示したように本発明であるトイレットペーパーホルダー１の蓋９を開け、ロール状トイレットペーパー１３を充填する。使用後にロール状トイレットペーパー１３の芯１３ａがあるときは、その芯１３ａを取り除き、新しいロール状トイレットペーパー１３を補充する。
【００４９】
ロール状トイレットペーパー１３の充填・補充に際し、トイレットペーパー１４の引き出し位置が正面板３よりにすることが望ましい。なぜなら、トイレットペーパー１４の引き出し位置が背面板板６よりになると、トイレットペーパー１４を引き出すとき蓋９に上向きの力が掛かり、蓋９が持ち上げられることとなり、仮に蓋９の水平面に小物などを置いた場合水平面から小物が落ちるからである。
【００５０】
また、ロール状トイレットペーパー１３の残量が少なくなったとき、トイレットペーパー１４を引き出すとロール状トイレットペーパー１３が収納部の正面板３よりに引き寄せられ、引き出しに支障をきたすことがあるためである。ただし、トイレットペーパー１４の引き出し位置が背面板板６よりであっても、トイレットペーパー１４の先端部１４ａを略三角形状に切断することに影響はないため、トイレットペーパー１４の引き出し位置が背面板板６よりになるようロール状トイレットペーパー１３を充填・補充することも本発明に含まれることは勿論である。
【００５１】
図７は、新しく補充したトイレットペーパーを収納した本発明であるトイレットペーパーホルダーの斜視図である。ロール状トイレットペーパー１３を使用し終わった後に、トイレットペーパーホルダー１の蓋９を開いて、芯１３ａを使用しているロール状トイレットペーパー１３であれば芯１３ａを収納部２から取り出して、芯１３ａを使用していないロール状トイレットペーパー１３であれば、そのまま新しいロール状トイレットペーパー１３を収納部２の底面板７に置いて補充する。
【００５２】
次にトイレットペーパー１４の先端部１４ａを引き出しガイド部材８に掛ける。その結果、引き出されたトイレットペーパー１４は、収納部２の正面板３から一定の距離を保ち垂れ下がる。このように設定した後に蓋９を閉じてトイレットペーパー１４を使用する。
【００５３】
図８は、トイレットペーパーを片手１５で掴む様子を示した模式図である。ガイド部材８より垂れ下がったトイレットペーパー１４と収納部２の正面板３とに、ガイド部材８を設けたことで隙間ができ、その隙間に指を入れ、別の指でトイレットペーパー１４を掴むことができる。切断刃１１と収納部２の正面板３との間にも一定の距離があることから片手１５で容易に掴むことができる。
【００５４】
図９は、トイレットペーパーを引き出す様子を示した模式図である。前述のように掴んだトイレットペーパー１４を掴んだまま、ガイド部材８と切断刃１１の刃先１１ａの間をすり抜け、上方に上げることで、所定の長さのトイレットペーパー１４を引き出すことができる。また、小物などが蓋９の上に置かれていたとしても、蓋９とガイド部材８との間に隙間があるため、トイレットペーパー１４を容易に引き出すことができる。
【００５５】
図１０は、トイレットペーパーの切断の途中を示した模式図である。前述のようにして、所定の長さに引き出したトイレットペーパー１４を引き出し終わった位置から、垂直下方に下げることによって切断刃１１の刃先１１ａがトイレットペーパー１４の幅中央位置に刺さり、切断が開始され、トイレットペーパー１４の左右の側に切断が進行する。つまり、下げるだけの動作でトイレットペーパー１４は勢いで切断することができる。その結果、使用するトイレットペーパー１４の末端はＶ字形状１４ｂに切断される。
【００５６】
図１１は、トイレットペーパーの切断後を示す模式図である。図１０から、さらに手１５を下方に引き下げることで、完全に使用するトイレットペーパー１４は切り離される。最初に切断されたトイレットペーパー１６は、先端部１４ａがロール状トイレットペーパー１３の使用前の平らな形状であるが、２回目以降に切断されたトイレットペーパー１７は、下方先端部が略三角形状１４ｃで、上端がＶ字形状１４ｂになる。従って、ガイド部材８に垂れ下がったトイレットペーパー１４の先端部は略三角形状１４ｃに切り残されることとなる。
【００５７】
このため、次回トイレットペーパー１４を掴むことが容易になり、切断先端が略三角形状１４ｃであることから従来のように切断部がちぎれ見た目が悪くなることもなく、また従来のようにトイレットペーパー１４の先端部を三角形状に折る必要がないから便利である。
【００５８】
以上のように、本発明であるトイレットペーパーホルダー１は、ロール状トイレットペーパー１３の収納部２の底面板７が湾曲していること、また、正面板板３の上部にガイド部材８が取り付けられていることからロール状トイレットペーパー１３が滑らかに引き出すことができる。
【００５９】
ロール状トイレットペーパー１３の収納部２の正面板３から切断刃１１との間は張出板１２ａによって一定の距離が確保されているため、手１５でトイレットペーパー１４の先端部１４ａを掴みやすくなっており使用者は容易にトイレットペーパー１４を引き出すことができる。
【００６０】
切断刃１１の両端にトイレットペーパー１４が左右傾斜刃１１ｂ、１１ｈから逃げてしまわないように左右突起１１ｄ、１１ｆを備えていることから、トイレットペーパー１４を意図した位置で、切り残されるトイレットペーパー１４の先端部を略三角形状１４ｃに片手１５で容易に切断することができることとなった。
【００６１】
収納部２の左右側板４、５の上部に残量を確認するための凹状に切り込み左右凹部４ａ、５ａが設けられていることから、蓋９を開けることなく、容易にロール状トイレットペーパー１３の残量を確認することができるので、新しいロール状トイレットペーパー１３の補充タイミングが分かり易い。
【実施例２】
【００６２】
図１２は、本発明であるトイレットペーパーホルダーの第２の実施形態の斜視図である。図１３は、本発明であるトイレットペーパーホルダーの第２の実施形態右側面図である。
【００６３】
トイレットペーパーホルダー１ａは、ロール状トイレットペーパー１３の収納部２とトイレットペーパー１４を意図した長さに切断する切断部１０ａよりなる。収納部２は、実施例１で使用したものと同一である。
【００６４】
図１４は、本発明であるトイレットペーパーホルダーの第２の実施形態を構成する切断部の分解斜視図である。切断部１０ａは、トイレットペーパー１４を切断する切断刃１１と、前記切断刃１１を収納部２から一定の距離に固定するための張出部１８からなる。切断刃１１は、張出部１２の固定部１２ｂと挟み板１２ｅとの間に挟み込み、ビス、ネジ１２ｃなどの固定具で固定される。
【００６５】
張出部１８は、切断刃１１を収納部２の正面板３から一定の距離に位置させるための張出板１８ａと切断刃１１を張出部１８に固定するための固定部１８ｂからなる。
【００６６】
また、張出板１８ａは、トイレットペーパー１４を掴み易いように下方に湾曲形状である。収納部２の正面板３の底部に接続される。或いは、収納部２を構成する底面板７と一体となしてもよい。
【００６７】
固定部１８ｂは、切断刃１１を張出板１８ａに固定する部分である。この固定部１８ｂは、水平面に対して９０度の角度になるように設置することが望ましい。これにより、トイレットペーパー１４を下方に引き下げる動作から生まれる力が、効率よくトイレットペーパー１４を切断する力に変換され、スムーズにトイレットペーパー１４を切断することができる。従って、トイレットペーパー１４の切断には、トイレットペーパー１４を下方に引き下げる以外の動作を要しないこととなる。
【００６８】
図１５は、本発明であるトイレットペーパーホルダーの第２の実施形態の使用状態を示した斜視図である。トイレットペーパーを片手１５で掴む様子を示している。ガイド部材８より垂れ下がったトイレットペーパー１４と収納部２の正面板３とに、ガイド部材８を設けたことで隙間ができ、その隙間に指を入れ、別の指でトイレットペーパー１４を掴むことができる。
【００６９】
さらに、張出板１８ａの先端に切断刃１１が設けられていることに加え、張出板１８ａが下方に湾曲していることから、収納部２の正面板３と切断刃１１との間に手を入れる空間が充分確保されることとなる。
【００７０】
従って、実施例１に比べ、容易にトイレットペーパー１４を掴むことができることとなる。なお、切断操作については、実施例１と同様である。
【図面の簡単な説明】
【００７１】
【図１】本発明であるトイレットペーパーホルダーの斜視図である。
【図２】本発明であるトイレットペーパーホルダーを開いたときの斜視図である。
【図３】本発明であるトイレットペーパーホルダーの正面図である。
【図４】本発明であるトイレットペーパーホルダーの平面図である。
【図５】本発明であるトイレットペーパーホルダーの右側面図である。
【図６】本発明であるトイレットペーパーホルダーを構成する切断部の分解斜視図である。
【図７】本発明であるトイレットペーパーホルダーにトイレットペーパーを補充したときの斜視図である。
【図８】本発明であるトイレットペーパーホルダーの使用状態を示した斜視図である。
【図９】本発明であるトイレットペーパーホルダーの使用状態を示した斜視図である。
【図１０】本発明であるトイレットペーパーホルダーの使用状態を示した斜視図である。
【図１１】本発明であるトイレットペーパーホルダーの使用状態を示した斜視図である。
【図１２】本発明であるトイレットペーパーホルダーの第２の実施形態の斜視図である。
【図１３】本発明であるトイレットペーパーホルダーの第２の実施形態の右側面図である。
【図１４】本発明であるトイレットペーパーホルダーの第２の実施形態を構成する切断部の分解斜視図である。
【図１５】本発明であるトイレットペーパーホルダーの第２の実施形態の使用状態を示した斜視図である。
【符号の説明】
【００７２】
１        トイレットペーパーホルダー
１ａ      トイレットペーパーホルダー
２        収納部
３        正面板
４        左側板
４ａ      左凹部
５        右側板
５ａ      右凹部
６        背面板
６ａ      穴
７        底面板
８        ガイド部材
９        蓋
９ａ      先端部
９ｂ      留具
１０      切断部
１０ａ    切断部
１１      切断刃
１１ａ    刃先    
１１ｂ    右傾斜刃
１１ｃ    左Ｖ字形溝
１１ｄ    左突起
１１ｅ    穴
１１ｆ    右突起
１１ｇ    右Ｖ字形溝
１１ｈ    左傾斜刃
１２      張出部
１２ａ    張出板
１２ｂ    固定部
１２ｃ    ネジ
１２ｄ    穴
１２ｅ    挟み板
１２ｆ    穴
１２ｇ    ナット
１３      トイレットペーパー
１３ａ    芯
１４      トイレットペーパー
１４ａ    先端部
１４ｂ    Ｖ字形状
１４ｃ    略三角形状
１５      手
１６      最初に切断されたトイレットペーパー
１７      ２回目以降に切断されたトイレットペーパー
１８      張出部
１８ａ    張出板
１８ｂ    固定部
【図１】
2006314764.tif 000003
【図２】
2006314764.tif 000004
【図３】
2006314764.tif 000005
【図４】
2006314764.tif 000006
【図５】
2006314764.tif 000007
【図６】
2006314764.tif 000008
【図７】
2006314764.tif 000009
【図８】
2006314764.tif 000010
【図９】
2006314764.tif 000011
【図１０】
2006314764.tif 000012
【図１１】
2006314764.tif 000013
【図１２】
2006314764.tif 000014
【図１３】
2006314764.tif 000015
【図１４】
2006314764.tif 000016
【図１５】
2006314764.tif 000017